(57)【特許請求の範囲】
【請求項１】
窓枠で囲まれた窓空間の一部を閉鎖するように、窓枠に固定的に配された固定障子と、この固定障子で閉鎖された窓空間の一部を除く当該窓枠で囲まれた窓空間の他の部分を開閉するように、窓枠に上下動自在に配された可動障子と、この可動障子の自重による可動障子の下降力に対抗する上昇力を可動障子に付与するバランス手段と、可動障子を上下動させる上下動装置とを具備しており、上下動装置は、固定障子の框に手動回転操作自在に取り付けられている回転操作ハンドルと、この回転操作ハンドルの回転を可動障子の上下動として伝達すると共に、回転操作ハンドルの非手動回転操作時には可動障子の上下動を阻止する伝達手段とを具備しており、伝達手段は、回転操作ハンドルが取り付けられた回転軸と、この回転軸に設けられたウォーム歯と、このウォーム歯に噛合った歯車と、この歯車が設けられていると共に固定障子の前記框に回転自在に支持された伝達軸と、この伝達軸の一端部及び他端部の夫々に設けられた歯車と、この歯車が夫々噛み合っていると共に、可動障子の両縦框の夫々に上下方向に伸びて設けられたラック歯部材とを具備している上げ下げ戸。
【請求項２】
窓空間の一部は、窓空間の他の部分の上方又は下方に位置している請求項１に記載の上げ下げ戸。
【請求項３】
バランス手段は、可動障子の框に一端が連結された紐状体と、この紐状体の他端が連結されて、回転により紐状体を巻き取り又は繰り出す回転自在なドラムと、このドラムに紐状体を巻き取らせるように、ドラムに紐状体の巻き取り方向の回転を生じさせるように、ドラムを弾性的に回転付勢する弾性手段とを具備している請求項１又は２に記載の上げ下げ戸。
【請求項４】
バランス手段は、可動障子の框に一端が連結された紐状体と、この紐状体が掛け回されたプーリと、紐状体の他端が連結された重錘とを具備している請求項１又は２に記載の上げ下げ戸。
【請求項５】
回転操作ハンドルの回転を可動障子の上下動として伝達する伝達路において、ウォーム歯は、回転操作ハンドルの回転を受ける入力側に配されており、当該ウォーム歯に噛合った歯車は、ウォーム歯の回転を出力する出力側に配されている請求項１から４のいずれか一項に記載の上げ下げ戸。
【発明の詳細な説明】
【０００１】
【発明の属する技術分野】
本発明は、窓枠に上下動自在に配された可動障子を具備した上げ下げ戸に関する。
【０００２】
【発明が解決しようとする課題】
上げ下げ戸としては、例えば実公平２−１５９７３号公報に記載のようなものが提案されており、公報に記載の上げ下げ戸は、上下動自在に窓縦枠に取り付けられた上下戸を具備すると共に、更に、上戸又は下戸のいずれか一方を手で持って下方又は上方に作動させることにより、上戸又は下戸のいずれか他方が上方又は下方に連動開閉するように、凹凸歯を有した回転子と、この回転子の凹凸歯に噛合する直線状噛合部とを具備している。
【０００３】
ところで、上げ下げ戸としては、上戸又は下戸のいずれか一方、特に、下戸を窓縦枠に固定して取り付け、上戸を上下動自在に窓縦枠に取り付けて、窓枠で囲まれた窓空間の上方部を開閉自在にすることが要求される場合があり、斯かる上げ下げ戸の場合には、公報に記載の技術を適用し難い。
【０００４】
また、公報に記載の上げ下げ戸では、上戸及び下戸の重量バランスが崩れると、窓空間の開放状態を維持し難く、常に、閉鎖状態にもたらされることになり、したがって、上戸及び下戸の微妙な重量バランスを得ることが必要となり、設計、製作の自由度が極めて小さく、費用もかかり、実用的でない。
【０００５】
本発明は、前記諸点に鑑みてなされたものであって、その目的とするところは、窓空間の一部の開放状態を任意の位置で維持でき、しかも、回転操作ハンドルの手動回転操作により窓空間の一部の開閉を容易に行うことができる上に、回転操作ハンドルの意図しない回転を生じさせない極めて安全な上げ下げ戸を提供することにある。
【０００６】
【課題を解決するための手段】
本発明の第一の態様の上げ下げ戸は、窓枠で囲まれた窓空間の一部を閉鎖するように、窓枠に固定的に配された固定障子と、この固定障子で閉鎖された窓空間の一部を除く当該窓枠で囲まれた窓空間の他の部分を開閉するように、窓枠に上下動自在に配された可動障子と、この可動障子の自重による可動障子の下降力に対抗する上昇力を可動障子に付与するバランス手段と、可動障子を上下動させる上下動装置とを具備しており、ここにおいて、上下動装置は、手動回転操作自在な回転操作ハンドルと、この回転操作ハンドルの回転を可動障子の上下動として伝達すると共に、回転操作ハンドルの非手動回転操作時には可動障子の上下動を阻止する伝達手段とを具備している。
【０００７】
第一の態様の上げ下げ戸によれば、可動障子を上下動させる上下動装置が回転操作ハンドルの非手動回転操作時には可動障子の上下動を阻止する伝達手段を具備しているために、窓空間の他の部分の任意の開放状態を維持でき、しかも、バランス手段を具備しているために、可動障子の上昇のための回転操作ハンドルの手動回転操作を容易に行うことができる。
【０００８】
本発明の第二の態様の上げ下げ戸では、第一の態様の上げ下げ戸において、回転操作ハンドルは、固定障子の框、窓枠又は窓空間の一部を画成する中間窓枠に手動回転操作自在に取り付けられている。
【０００９】
本発明の第三の態様の上げ下げ戸では、第一又は第二の態様の上げ下げ戸において、窓空間の一部は、窓空間の他の部分の上方又は下方に位置している。
【００１０】
固定障子よって閉鎖される窓空間の一部が、可動障子によって開閉される窓空間の他の部分の上方に位置している場合には、回転操作ハンドルは、好ましくは、固定障子の下框又は窓空間の一部を画成する中間窓枠に、より好ましくは、固定障子の下框に取り付けられ、それが下方に位置している場合には、固定障子の上框又は窓空間の一部を画成する中間窓枠に、より好ましくは、固定障子の上框に取り付けられるが、本発明はこれに限定されず、要は、手動回転操作し易い場所に取り付けられればよい。
【００１１】
本発明の第四の態様の上げ下げ戸では、第一から第三の態様のいずれかの上げ下げ戸において、バランス手段は、可動障子の框に一端が連結された紐状体と、この紐状体の他端が連結されて、回転により紐状体を巻き取り又は繰り出す回転自在なドラムと、このドラムに紐状体を巻き取らせるように、ドラムに紐状体の巻き取り方向の回転を生じさせるように、ドラムを弾性的に回転付勢する弾性手段とを具備している。
【００１２】
本発明の第五の態様の上げ下げ戸では、第一から第四の態様のいずれかの上げ下げ戸において、バランス手段は、可動障子の框に一端が連結された紐状体と、この紐状体が掛け回されたプーリと、紐状体の他端が連結された重錘とを具備している。
【００１３】
本発明においては、バランス手段としては、第四の態様の上げ下げ戸のように、弾性手段を具備していても、これに代えて、第五の態様の上げ下げ戸のように、重錘を具備していてもよいが、コンパクトで且つ大きな対抗上昇力を可動障子に付与するには、弾性手段を具備していることが好ましいが、常に一定の対抗上昇力を可動障子に付与するには、重錘を具備していることが好ましく、いずれを選択するかは、可動障子の重量と設置スペース等とにより決定するとよい。
【００１４】
本発明の第六の態様の上げ下げ戸では、第一から第五の態様のいずれかの上げ下げ戸において、伝達手段は、回転操作ハンドルの回転を可動障子の上下動として伝達する伝達経路に、回転操作ハンドルの回転を受ける入力側にウォーム歯を、ウォーム歯の回転を出力する出力側にウォーム歯に噛合った歯車を夫々具備したウォーム歯車機構を配してなる。
【００１５】
本発明の第七の態様の上げ下げ戸では、第一から第六の態様のいずれかの上げ下げ戸において、伝達手段は、回転操作ハンドルが取り付けられた回転軸と、この回転軸に設けられたウォーム歯と、このウォーム歯に噛合った歯車と、この歯車が設けられた伝達軸と、この伝達軸の一端部に設けられた歯付き車と、この歯付き車が噛合っていると共に、可動障子の縦框に上下方向に伸びて設けられた歯部材とを具備している。
【００１６】
第六又は第七の態様の上げ下げ戸によれば、回転操作ハンドルの回転に関して、入力側にウォーム歯を、出力側にウォーム歯に噛み合った歯車を夫々具備したウォーム歯車機構を具備しているために、簡単な構成により非可逆的に回転操作ハンドルの回転を可動障子の上下動として伝達できる。
【００１７】
本発明の第八の態様の上げ下げ戸では、第七の態様の上げ下げ戸において、歯付き車は、スプロケットホイール又は歯車であり、歯部材は、チェーン部材又はラック歯部材である。
【００１８】
本発明の第九の態様の上げ下げ戸では、第七又は第八の態様の上げ下げ戸において、伝達手段は、伝達軸の他端部に設けられた他の歯付き車と、この他の歯付き車が噛合っていると共に、可動障子の他の縦框に上下方向に伸びて設けられた他の歯部材とを具備している。
【００１９】
第九の態様の上げ下げ戸によれば、可動障子の両縦框において、可動障子を上下させる力を付与できるために、可動障子を、傾かせることなしにスムーズに上下動させることができる。
【００２０】
本発明の第十の態様の上げ下げ戸では、第九の態様の上げ下げ戸において、他の歯付き車は、スプロケットホイール又は歯車であり、他の歯部材は、チェーン部材又はラック歯部材である。
【００２１】
【発明の実施の形態】
次に本発明及びその実施の形態を、図に示す例を参照して更に詳細に説明する。なお、本発明はこの例に何等限定されないのである。
【００２２】
図１から図３において、本例の上げ下げ戸１は、窓枠２で囲まれた窓空間３の一部４を閉鎖するように、窓枠２に固定的に配された固定障子５と、固定障子５で閉鎖された窓空間３の一部４を除く当該窓枠２で囲まれた窓空間３の他の部分６を開閉するように、窓枠２に上下動自在に配された可動障子７と、可動障子７の自重による可動障子７の下降力に対抗する上昇力を可動障子７に付与するバランス手段８と、可動障子７を上下動させる上下動装置９とを具備している。
【００２３】
窓枠２は、左右の両縦枠２１及び２２と、両縦枠２１及び２２の夫々を橋絡して配された上下枠２３及び２４とを具備している。本例では、窓空間３の一部４は、窓空間３の他の部分６の下方に位置している。
【００２４】
固定障子５は、左右の両縦框３１及び３２と、両縦框３１及び３２の夫々を橋絡して配された上下框３３及び３４と、両縦框３１及び３２並びに上下框３３及び３４に周囲が保持された複層のガラス板３５とを具備して、窓空間３において、下側の空間である一部４を閉鎖して、窓枠２に固定して配されている。
【００２５】
可動障子７は、固定障子５と同様に、左右の両縦框４１及び４２と、両縦框４１及び４２の夫々を橋絡して配された上下框４３及び４４と、両縦框４１及び４２並びに上下框４３及び４４に周囲が保持された複層のガラス板４５とを具備しており、窓空間３において、上側の空間である他の部分６を開閉するように、一部４と他の部分６との間で、上下移動自在に窓枠２に配されている。
【００２６】
可動障子７には、当該可動障子７の上下移動を案内する案内手段４６が設けられており、案内手段４６は、可動障子７の縦框４１及び４２の夫々に回転自在に取り付けられたローラ４７及び４８を具備しており、ローラ４７及び４８は、窓枠２の縦枠２１及び２２の夫々に転がり接触している。
【００２７】
バランス手段８は、可動障子７の左右両側に配された一対のバランス機構５１ａ及び５１ｂを具備しており、バランス機構５１ａは、バランス機構５１ｂと同様に構成されているので、以下、バランス機構５１ａについて説明し、バランス機構５１ｂについては、必要に応じて対応の構成に同じ数字符号にｂを付して図示する。
【００２８】
バランス機構５１ａは、可動障子７の上框４３又は一方の縦框４１に連結金具５２ａを介して一端５３ａが連結された紐状体としてのワイヤー５４ａと、ワイヤー５４ａが掛け回されたプーリ５５ａと、ワイヤー５４ａの他端５６ａが連結されて、回転によりワイヤー５４ａを巻き取り又は繰り出す回転自在なドラム５７ａと、ドラム５７ａにワイヤー５４ａを巻き取らせるように、ドラム５７ａにワイヤー５４ａの巻き取り方向の回転を生じさせるように、ドラム５７ａを弾性的に回転付勢する弾性手段５８ａとを具備している。
【００２９】
プーリ５５ａ及びドラム５７ａは、上枠２３に回転自在に取り付けられており、弾性手段５８ａは、一端がドラム５７ａの回転軸６１ａに、他端が固定されたぜんまいばね６２ａからなり、ぜんまいばね６２ａは、ワイヤー５４ａの繰り出し方向にドラム５７ａが回転されると縮径されて弾性力を増大して、この増大する弾性力に基づいてワイヤー５４ａの巻き取り方向の回転力をドラム５７ａに付与するようになっており、而して、バランス手段８は、可動障子７の自重による可動障子７の下降力に対抗する上昇力を可動障子７に付与するようになっている。
【００３０】
上下動装置９は、手動回転操作自在な回転操作ハンドル６５と、回転操作ハンドル６５の回転を可動障子７の上下動として伝達すると共に、回転操作ハンドル６５の非手動回転操作時には可動障子７の上下動を阻止する伝達手段６６とを具備している。
【００３１】
伝達手段６６は、回転操作ハンドル６５が取り付けられた回転軸７１と、回転軸７１に一体的に設けられたウォーム歯７２と、ウォーム歯７２に噛合った歯車７３と、歯車７３が一体的に設けられた伝達軸７４と、伝達軸７４の各端部７５及び７６に設けられた歯付き車７７及び７８と、歯付き車７７及び７８の夫々が噛合っていると共に、可動障子７の左右の縦框４１及び４２の夫々に上下に伸びて一体的に設けられた歯部材７９及び８０とを具備している。
【００３２】
回転軸７１は、上框３３に回転自在に支持されており、回転軸７１を介して、回転操作ハンドル６５は、固定障子５の上框３３に手動回転操作自在に取り付けられている。伝達軸７４は、中空又は中実ロッドからなり、各端部７５及び７６で上框３３に回転自在に支持されている。歯付き車７７及び７８は、スプロケットホイール又は歯車からなり、歯付き車７７及び７８がスプロケットホイールからなる場合には、歯部材７９及び８０は、好ましくは、チェーン部材から構成され、歯付き車７７及び７８が歯車からなる場合には、歯部材７９及び８０は、好ましくは、ラック歯部材からなるが、これに限定されない。
【００３３】
伝達手段６６は、回転操作ハンドル６５が手動で回転されることにより回転軸７１が回転されると、この回転を、ウォーム歯７２、歯車７３及び伝達軸７４を介して、歯付き車７７及び７８に伝達して、歯付き車７７及び７８を回転させる。歯付き車７７及び７８が回転されると、歯付き車７７及び７８に噛み合った歯部材７９及び８０を介して、可動障子７は、上下移動されるようになっている。
【００３４】
また、伝達手段６６のウォーム歯７２と歯車７３との噛み合いにおいては、通常、ウォーム歯７２の回転で容易に歯車７３を回転させることができる一方、歯車７３の回転では容易にはウォーム歯７２を回転させることができないようになっており、したがって、回転操作ハンドル６５が回転されない場合において、自重で可動障子７が下降しようとして、又は手動で可動障子７が下降若しくは上昇されようとして、歯付き車７７及び７８及び伝達軸７４を介して歯車７３が回転されようとしても、この回転がウォーム歯７２により阻止される結果、可動障子７は下降されることなしに、その位置が保持されることになる。
【００３５】
このように本例の伝達手段６６は、回転操作ハンドル６５の回転を可動障子７の上下動として伝達する伝達路に、ウォーム歯７２及び歯車７３からなるウォーム歯車機構８１を具備しており、これにより、回転操作ハンドル６５の非手動回転操作時には可動障子７の上下動を阻止するようになっている。
【００３６】
以上の上げ下げ戸１では、可動障子７を上下動させる上下動装置９が回転操作ハンドル６５の非手動回転操作時には可動障子７の上下動を阻止する伝達手段６６を具備しているために、可動障子７による窓空間３の他の部分６の任意の開放状態を維持でき、しかも、バランス手段８を具備しているために、可動障子７の上昇のための回転操作ハンドル６５の手動回転操作を容易に行うことができる。
【００３７】
また上げ下げ戸１では、回転操作ハンドル６５の回転に対する入力側にウォーム歯７２を、出力側にウォーム歯７２に噛み合った歯車７３を夫々具備したウォーム歯車機構８１を具備しているために、簡単な構成により非可逆的に回転操作ハンドル３６の回転を可動障子７の上下動として伝達でき、回転操作ハンドル６５が意図しないで回転されるような危険な事態をなくすことができ、また、可動障子７の左右の両縦框４１及び４２において、可動障子７を上下させる力を付与できるために、可動障子７を、傾かせることなしにスムーズに上下動させることができる。
【００３８】
上記では、窓空間３の下方の部分４を固定障子５により常時閉鎖し、窓空間３の上方の部分６を可動障子７により開閉するようにしたが、これとは反対に、窓空間３の下方の部分４を可動障子７により開閉し、窓空間３の上方の部分６を固定障子５により常時閉鎖するようにしてもよい。
【００３９】
【発明の効果】
本発明によれば、窓空間の一部を任意の開放状態に維持でき、しかも、手動回転操作により窓空間の一部の開閉を容易に行うことができる上に、回転操作ハンドルの意図しない回転を生じさせない上げ下げ戸を提供することができる。
【図面の簡単な説明】
【図１】本発明の実施の形態の好ましい例の側面断面図である。
【図２】図１に示す例の正面一部断面図である。
【図３】図１に示す例の平面断面図である。
【符号の説明】
１  上げ下げ戸
２  窓枠
３  窓空間
５  固定障子
７  可動障子
８  バランス手段
９  上下動装置
６５  回転操作ハンドル
６６  伝達手段
【図１】
0004010071.tif 000002
【図２】
0004010071.tif 000003
【図３】
0004010071.tif 000004